(57)【要約】容器の閉塞構造は、底面部（１３）を有する容器（１０）と、周壁面部（１５）と、前記周壁面部の上側端部を形成し、前記容器の開口部を囲繞する周縁部（１６）と、該周縁部（１６）よりも低位置の前記周壁面部と一体的に形成され、該周壁面部を囲繞するフランジ（１９）とを含む。閉塞部材（１１）は、前記容器の前記開口部を覆うように配置された中央部（２５）と囲繞部（２６、２９、３１）とを有する。前記囲繞部（２６、２９、３１）は前記中央部と一体的に形成され、前記閉塞部材を前記容器に取り付ける場合に、周縁部（１６）を囲繞して係合する構造を有する。前記閉塞部材を前記容器に取り付ける場合には、フランジ（１９）に接着されるように前記囲繞部の一部（３４）を取り付けるか、あるいは、該囲繞部の一部（５０）を上方に開口する前記フランジ（１９）の開口部（５２）に押圧して嵌合する。
2004509817.tif 000002
【特許請求の範囲】
【請求項１】
容器の閉塞構造において、
（ｉ）　底面部と、周壁面部と、前記周壁面部の上端部を形成し、且つ、前記容器の開口部を囲繞する周縁部と、前記周壁面部と一体的に形成され、且つ、該周壁面部における前記周縁部下側を囲繞するフランジとを有する容器と、
（ｉｉ）　前記容器の前記開口部を覆う（ｏｖｅｒｆｉｔ）ように配置された中央部と、前記中央部と一体的に形成される第１の囲繞部と、前記第１の囲繞部から延在する第２の囲繞部と、必要に応じて前記第１の囲繞部から延在する第３の囲繞部と、を有する閉塞部材とを含み、
前記第１の囲繞部は、前記閉塞部材が前記容器に嵌合する際に前記周縁部を囲繞し、
前記第２の囲繞部は、前記第３の囲繞部が存在すれば、前記第１の囲繞部又は前記第３の囲繞部のどちらか一方から分離可能か、あるいは、前記第１及び第３の囲繞部の両方から分離可能かのいずれかである容器の閉塞構造であって、
前記容器の閉塞構造は、前記閉塞部材が前記容器に嵌合するときに、
（ａ）　前記第２又は第３の囲繞部のうちの一方が、前記フランジに隣接した状態で、上方に開口する前記フランジの開口部に押圧により嵌合されるか、あるいは、
（ｂ）　前記第３の囲繞部が存在すれば、該第３の囲繞部が前記フランジと接合される
ことを特徴とする容器の閉塞構造。
【請求項２】
請求項１記載の容器の閉塞構造において、
（ａ）における前記第２又は第３の囲繞部の先端部は、前記フランジの前記開口部に押圧されることより嵌合される
ことを特徴とする容器の閉塞構造。
【請求項３】
請求項２記載の容器の閉塞構造において、
前記先端部は、突出する周縁部により画成され、その横断面において、該周縁部は、大径な頂部と、該先端部の前記頂部に結合する狭い頚状部とを有し、
前記フランジの前記開口部は、前記フランジ内に形成され、且つ、周囲に延在して上方に開口する円環状の溝部であり、
前記溝部は、前記フランジの前記開口部において円環状の突起を含み、
前記周縁部の前記頂部は、前記フランジの前記開口部を通過して該開口部内の前記溝部に嵌合するように押圧される
ことを特徴とする容器の閉塞構造。
【請求項４】
請求項１記載の容器の閉塞構造において、
（ｂ）における前記第３の囲繞部は、溶接又は接着材により前記フランジに固着されるような形状に形成され、配設される
ことを特徴とする容器の閉塞構造。
【請求項５】
請求項４記載の容器の閉塞構造において、
前記フランジはその周囲に段部が形成され、前記第３の囲繞部は前記段部に配設されるような配置及び形状を有する
ことを特徴とする容器の閉塞構造。
【請求項６】
請求項１〜５のいずれか１項に記載の容器の閉塞構造において、
前記第２の囲繞部は、前記第１及び第３の囲繞部の間の相対的に狭い折損可能な結合部において前記第１及び／又は第３の囲繞部から取り外し可能であり、前記第２の囲繞部を取り外すことにより前記閉塞部材を前記容器から分離可能とする
ことを特徴とする容器の閉塞構造。
【請求項７】
請求項３記載の容器の閉塞構造において、
前記フランジには、前記円環状の溝部が配設される周壁の段部を形成する
ことを特徴とする容器の閉塞構造。
【請求項８】
請求項３又は７記載の容器の閉塞構造において、
前記突出する周縁部は、前記第３の囲繞部から下方に延在し、前記円環状の溝部内にスナップフィット（ｓｎａｐ−ｆｉｔｔｅｄ）される
ことを特徴とする容器の閉塞構造。
【請求項９】
請求項１〜８のいずれか１項に記載の容器の閉塞構造において、
玉縁部が前記周縁部を囲繞するように一体的に形成され、前記第１の囲繞部は、該第１の囲繞部内に一体的に形成して配設される受部を有し、
前記受部は前記玉縁部と互いに係合するように位置付けられ、前記受部において前記第１の囲繞部は前記玉縁部と係合する
ことを特徴とする容器の閉塞構造。
【請求項１０】
請求項５又は７記載の容器の閉塞構造において、
前記第３の囲繞部が存在するときに、該第３の囲繞部は前記第２の囲繞部の内周壁面よりも拡径の内周壁面を有し、
該第２の囲繞部は下側端部を有し、
前記下側端部は、前記段部の内側に配設される前記容器における前記フランジの壁面部に隣接して配設されるように形成される
ことを特徴とする容器の閉塞構造。
【請求項１１】
請求項１〜１０のいずれか１項に記載の容器の閉塞構造において、
前記容器の前記周壁面部内に一体的に形成される受部が設けられると共に、
前記閉塞部材が前記容器に嵌合して該閉塞部材に力が作用するときに、該閉塞部材には、前記容器の周縁部内に位置決めされ、前記受部と係合するように配設される内側囲繞部が形成されている
ことを特徴とする容器の閉塞構造。
【請求項１２】
請求項１１記載の容器の閉塞構造において、
前記内側囲繞部は、前記容器の前記周壁面部の内表面に隣接して配設されるか、前記容器の前記周壁面部に対して斜方向に配設されるかのいずれかである
ことを特徴とする容器の閉塞構造。
【請求項１３】
請求項１１又は１２記載の容器の閉塞構造において、
前記閉塞部材の中央部には底面及び周壁を有する凹部が形成され、前記閉塞部材は、前記凹部の前記周壁と前記内側囲繞部とを互いに接続する放射状に延在する板部が形成されている
ことを特徴とする容器の閉塞構造。
【請求項１４】
請求項３記載の容器の閉塞構造において、
前記突出する周縁部は、（ｂ）における前記第２又は第３の囲繞部と前記容器のフランジとの接合と同様の方法により、前記容器のフランジと接合される
ことを特徴とする容器の閉塞構造。
【発明の詳細な説明】
【０００１】
発明の分野
本発明は、不正開封の痕跡を残す機能を有する容器の閉塞構造に関し、状況に応じて封じ直すことが可能な容器の閉塞構造に関する。
【０００２】
従来技術の説明
本発明に関する代表的な容器の閉塞構造は、相容れ難い多くの要求を満足する必要がある。すなわち、容器の落下及び／又は荷重移動に起因する静荷重及び動荷重が発生して、前記容器の密閉シールが破壊されそうな場合であっても、閉塞状態を維持できるような容器の密閉シールを提供する必要がある。同時に、前記容器の密閉シールは十分に曲げられるものであって、必要に応じて閉塞部材を除去及び交換できる使い勝手が良いものである必要がある。また、前記容器の閉塞構造は、製品の梱包後に発生する不正開封や、梱包品をエンドユーザに配送する前に発生する不正開封の痕跡を示すことができる必要がある。しかも、このような不正開封阻止構造は、前記容器から前記閉塞部材を正当な目的で取り外す際には、取り外しの邪魔にならない程度とする必要がある。
【０００３】
そこで、これらの要求を満たすような容器の閉塞構造が、多数開発されている。
【０００４】
米国特許第５７３０３０９号公報には、玉縁部（ｂｅａｄｅｄ ｒｉｍ）を有する容器と、該容器の周壁を囲繞する周壁囲繞部を有する閉塞部材とが開示されている。前記周壁囲繞部は内向する受部を具備して形成され、該受部は前記周縁部に対し着脱自在に嵌合するように配置されている。また、前記周壁囲繞部は取り外し可能な切裂片を備え、該切裂片が取り外されるまでは、前記閉塞部材は前記容器から離間されることはない。米国特許第５７３０３０９号公報の閉塞構造では、閉塞部材の周壁囲繞部と容器の壁面部における接触部との間に、複数個の嵌合部が設けられている。
【０００５】
仏国特許第２５９９０４４号公報には、外側に突出する周壁面部のフランジと、周壁囲繞部を有する閉塞部材とが開示され、前記閉塞部材はその周壁面部においてフランジを具備し、該フランジは前記閉塞部材と容器とが嵌合したときに、該容器のフランジと嵌合するように該周壁囲繞部から延在して形成されている。前記周壁面部のフランジは、超音波溶接により前記閉塞部材と結合される。
【０００６】
さらに、前記閉塞部材において、前記周壁囲繞部が該閉塞部材の中央本体部に当接するような箇所には、切取線が設けられている。これにより、前記閉塞部材を前記容器から取り外し可能となる。そして、前記閉塞構造では、前記容器から前記閉塞部材が一旦取り外されると、前記容器を前記閉塞部材で再度密封することはできないような構造になっている。
【０００７】
米国特許第４４３４９０７号公報には、仏国特許第２５９９０４４号公報の閉塞方法に類似した構造が開示されている。すなわち、周壁面に突出する囲繞用フランジを有する容器と、対応する周壁面に突出する囲繞用フランジを有する閉塞部材とが開示され、前記両囲繞用フランジは、互いに嵌合されている。この構造では、線状に延びる脆弱部（ａ ｌｉｎｅ ｏｆ ｗｅａｋｅｎｉｎｇ）が前記容器周壁面の前記フランジに設けられ、前記容器から前記閉塞部材が分離可能とされているが、一度分離しても、前記閉塞部材を前記容器に再度取り付けることができるようになっている。この場合、前記脆弱部において前記容器が分離したままの状態で、前記囲繞部の内壁面にある玉縁部が、前記容器のフランジの残部を乗り越えて押圧される。
【０００８】
本発明の出願人による豪州特許第６８２０９６号公報には、玉縁部を有する容器が開示され、前記容器からその外側に突出する周壁面フランジが前記周縁部よりも低位置に設けられている。閉塞部材は第１の側面囲繞部を有する前記容器に取り付け可能であり、該第１の側面囲繞部は、前記周縁部の玉縁部に嵌合するように配置された該第１の周壁囲繞部に内向して設けられた受部を具備する。第２の周壁囲繞部は、折損可能なように前記第１の周壁囲繞部と結合され、その結合部分から下方に突出すると共に、前記閉塞部材が前記容器に取り付けられる際には、前記容器のフランジに形成される凹部内に該第２の周壁囲繞部の下端部が位置決め載置される。
【０００９】
発明の要旨
本発明は容器の閉塞構造を提供するものであり、前記容器の閉塞構造は、（ｉ）底面部と、周壁面部と、前記周壁面部の上端部を形成し、且つ、前記容器の開口部を囲繞する周縁部と、前記周壁面部と一体的に形成され、且つ、該周壁面部における前記周縁部下側を囲繞するフランジとを有する容器と、（ｉｉ）前記容器の前記開口部を覆う（ｏｖｅｒｆｉｔ）ように配置された中央部と、前記中央部と一体的に形成される第１の囲繞部と、前記第１の囲繞部から延在する第２の囲繞部と、必要に応じて前記第１の囲繞部から延在する第３の囲繞部と、を有する閉塞部材とを含み、前記第２の囲繞部は、前記第１の囲繞部又は前記第３の囲繞部が存在すれば、該第３の囲繞部のどちらか一方から取り外し可能か、あるいは、前記第１及び第３の囲繞部の両方から取り外し可能かのいずれかである容器の閉塞構造であって、前記容器の閉塞構造は、前記閉塞部材が前記容器に嵌合するときに、（ａ）前記第２又は第３の囲繞部の中の一方は、前記フランジに隣接した状態で、上方に開口する前記フランジの開口部内で押圧により嵌合され得るか、あるいは、（ｂ）前記第３の囲繞部が存在すれば、該第３の囲繞部は前記フランジと接合されることを特徴としている。
【００１０】
（ａ）において、前記フランジの前記開口部を上方に開口することにより、前記閉塞部材が前記容器に嵌合されると、前記一方の囲繞部も前記フランジの前記開口部に押圧して嵌合される。ここで、「押圧して嵌合」とは、しまり嵌め、スナップフィット（ａ ｓｎａｐ ｆｉｔ）及びくさび嵌めを含む概念である。その結果、前記配置では、前記容器と前記閉塞部材の前記囲繞部との間に、薄い刃型状の工具が挿入されることを阻止することができるので、容器の不正な開封から前記容器の中身を守ることが可能となる。
【００１１】
（ｂ）において、前記第３の縁部と前記容器のフランジとを接合することにより、例えば、前記容器に収容物を充たしてから前記閉塞部材を嵌合することが可能となるので、前記容器と前記閉塞部材の縁部との間に薄い刃型状の工具が挿入されることを阻止することができ、容器の不正な開封から前記容器の中身を守ることが可能となる。
【００１２】
発明の好適な特徴
（ａ）において、前記第２又は第３の囲繞部の先端部は、前記フランジの前記開口部に押圧により嵌合され、前記先端部は、突出する周縁部により画成され、その横断面において、該周縁部は、大径な頂部と、前記先端部の前記頂部に結合する狭い頚状部とを有し、前記フランジの前記開口部は、前記フランジ内に形成され、且つ、周囲に延在して上方に開口する円環状の溝部である。前記溝部は前記フランジの前記開口部において円環状の突起を有し、前記周縁部の前記頂部は、前記フランジの前記開口部を通過して、前記溝部内に嵌合され得るように押圧される。あるいは、（ｂ）において、前記第３の囲繞部は、溶接又は接着材により前記フランジに固着されるような形状に形成・配設され、前記フランジはその周囲に段部が形成され、前記第３の囲繞部は前記段部に配設されるような配置及び形状を有することが好ましい。
【００１３】
なお、（ｂ）において、前記接合は、超音波溶接処理を用いる仮付溶接処理又は連続シーム溶接処理により行うことが効果的である。
【００１４】
前記第２の囲繞部は、前記第１及び第３の囲繞部の間の相対的に狭い折損可能な結合部において前記第１及び／又は第３の囲繞部から取り外し可能であり、前記第２の囲繞部を取り外すことにより前記閉塞部材を前記容器から分離可能とすることが好ましい。
【００１５】
前記円環状の溝部は、前記フランジ内の周壁の段部に配置されることが好ましい。また、前記突出する周縁部は、前記第３の囲繞部から下方に延在し、前記円環状の溝部内にスナップフィット（ｓｎａｐ−ｆｉｔｔｅｄ）されることが好ましい。
【００１６】
また、玉縁部は、前記周縁部を囲繞するように一体的に形成されることが好ましい。また、前記第１の囲繞部は、該第１の囲繞部内に一体的に形成・配設される受部で前記玉縁部と係合することが好ましく、前記受部は前記玉縁部に係合するように位置決めされる。
【００１７】
また、前記第３の囲繞部は、前記第２の囲繞部の内周壁面よりも拡径の内周壁面を有することが好ましい。この場合、前記第２の囲繞部は下側端部を有することが好ましく、該下側端部は、前記段部の内側に配設される前記容器における前記フランジの壁面部に隣接して配設・形成されることが好ましい。
【００１８】
また、受部は、前記容器の前記周壁面部内に一体的に形成・位置決めされることが好ましい。このとき、前記閉塞部材が前記容器に嵌合し、該閉塞部材に力が作用する場合、例えば、容器を積み重ねる場合においては、該閉塞部材には、前記容器の周縁部内に位置決めされ、前記受部と係合するように配設される内側囲繞部が形成されていることが好ましい。また、前記内側囲繞部は、前記容器の前記周壁面部の内表面に隣接して配設されるか、あるいは、前記容器の前記周壁面部に対して斜方向に配設されるかのいずれかにすればよい。
【００１９】
また、前記閉塞部材の中央部は底面及び周壁を有する凹部が形成されている。この場合、前記閉塞部材は、前記凹部の前記周壁と前記内側囲繞部とを互いに接続する放射状に延在する板部が形成されていることが好ましい。
【００２０】
また、前記突出する周縁部は、（ｂ）における前記第２又は第３の囲繞部と前記容器のフランジとの接合と同様の方法により、前記容器のフランジと接合することも可能である。
【００２１】
本発明の好適な実施の形態の一例は、添付された図面を参照しながら詳細に説明されるが、本発明はその他の実施の形態も包含するものである。
【００２２】
好適な実施の形態の詳細な説明
図１及び図２に示すように、本発明に係る第１実施形態の容器の閉塞構造は、容器１０と、閉塞部材１１と、前記容器に結合して旋回自在な取手１２とを含む。前記容器及び前記閉塞部材は、ポリプロピレン又は高密度ポリエチレンから成形される。前記取手は、スチール又はプラスチック材料から形成される。前記容器は、所望の大きさに成形可能であり、その容積は、概ね、４〜２５リットル程度である。
【００２３】
容器１０は、前記閉塞部材の凹部１４内に配設されるような大きさの底面部１３を有し、閉塞構造を備えた複数個の前記容器を、互いに積み重ねることができるようになっている。前記容器は周壁面部１５を有すると共に、周縁部１６は該周壁面部１５の上端部を形成し、前記容器の開口部を囲繞している。
【００２４】
周縁部１６を囲繞するように、玉縁部１７が該周縁部１６と一体的に形成されている。前記玉縁部は、周壁面部１５の外表面と結合する下面１８を有する。
【００２５】
周壁面部１５を囲繞するように、円環状のフランジ１９が前記容器の周壁面部１５と一体的に形成されている。前記フランジは玉縁部１７の位置から垂下して配設され、２つの壁面部２０、２１を有する。壁面部２０は前記容器の周壁面部１５から傾斜し、壁面部２１は前記傾斜した壁面部の外方端部から垂下して設けられている。それぞれ放射状に延在する一連の板部（Ａ ｓｅｒｉｅｓ ｏｆ ｒａｄｉａｌｌｙ ｅｘｔｅｎｄｉｎｇ ｗｅｂｓ）２２は、フランジ１９と前記容器の周壁面部１５とを結合している。本発明によれば、前記フランジの中、２つの壁面部２０、２１の結合部分において、段部（ｒｅｂａｔｅ）２３が形成されている。
【００２６】
閉塞部材受部２４は前記容器の周壁面部１５内に設けられ、該周壁面部１５と一体的に形成される。該受部２４は前記閉塞部材の凹部１４の位置よりも下方に配設される。
【００２７】
閉塞部材１１は中央部２５を有し、該中央部２５は、凹部１４につながり、且つ、容器１０の前記開口部を覆う（ｏｖｅｒｆｉｔ）ような大きさに形成されている。第１の囲繞部２６は中央部２５と一体的に形成され、前記容器の玉縁部１７を囲繞して嵌合するような大きさに形成されている。円環状の玉縁受部２７は第１の囲繞部２６内に配設され、該第１の囲繞部２６と一体的に形成されている。該玉縁受部２７は、前記閉塞部材を前記容器に取り付けるときには、前記容器の玉縁部１７の下面１８に係合するように位置決めされる。
【００２８】
第１の囲繞部２６は、玉縁受部２７から外方に突出する内表面２８を有する。該内表面２８は、その輪郭がゆるやかな曲線状に形成されている。前記容器から前記閉塞部材を持ち上げ可能となるように、内表面２８は人の指に対応するような形状に形成されている。また、前記閉塞部材が前記容器に押圧された際に、該閉塞部材と該容器との摺動及び係合が容易となるように、内表面２８の形状が定められている。
【００２９】
前記容器の玉縁部１７も、前記閉塞部材が前記容器に押圧された際に、該閉塞部材と該容器との摺動及び係合が円滑且つ容易となるような方法で形成されている。
【００３０】
第２の囲繞部２９は第１の囲繞部２６から突出して設けられ、一体成形された薄い結合板部３０を介して該第１の囲繞部２６から折損可能な状態で結合されている。また、第１実施形態では、第３の囲繞部３１が第２の囲繞部２９から延在して形成され、該第３の囲繞部３１は、一体成形された板部３２を介して該第２の囲繞部２９から折損可能な状態で結合されている。
【００３１】
第３の囲繞部３１はフランジ１９の段部２２内に配設されるようなサイズに形成されているので、前記容器に収容物が充たされた状態で、閉塞部材１１を容器１０に嵌合させたときに、初めて、該第３の囲繞部３１を前記容器のフランジ１９と接合させることが可能である。
【００３２】
第３の囲繞部３１とフランジ１９とは、これらの間に図示しないシーリング材を注入するか、あるいは、段部２２内に第３の囲繞部３１を溶接することにより接合してもよい。後者の方法は、仮付溶接処理あるいは連続シーム溶接により実現できる。溶接は、様々な方法で実現できる。例えば、前記容器の閉塞構造を前記容器の垂直軸を中心に回転させながら、ノズル３３から溶接されるべき箇所に対して電気加熱された空気を吹き付けてもよい。
【００３３】
第３の囲繞部３１は、第２の囲繞部２９の内周壁面３５よりも拡径の内周壁面３４を有する。その結果、第２の囲繞部２９における下側境界の端部３６は、フランジ１９の傾斜した壁面部２０の上側に位置決めされる。
【００３４】
これまで説明してきたように、第１実施形態では、第３の囲繞部３１がフランジ１９と接合されると、第１〜第３の囲繞部２６、２９、３１のいずれか、あるいはそれらのすべてと、前記容器の壁面部１５との間に、こじ開け用の刃（ｐｒｉｓｉｎｇ ｂｌａｄｅ）又は他の工具を挿入することが不可能となる。そのため、最初に第２の囲繞部２９を除去することによってのみ、前記閉塞部材は取り外し可能であり、これにより、前記容器から該閉塞部材を取り外す行為が行われたことを示す痕跡を残すことができる。
【００３５】
図１に示すように、第２の囲繞部２９には、切裂片として形成される切裂タブ３７が設けられる。
【００３６】
図３は図２に示す配置の一部変形例を示す。図示するように、第３の囲繞部３１には受部３８が形成され、該受部３８は段部２２の補助凹部３９内に配設されるようなサイズに形成されている。このような構造は、前記閉塞部材と前記容器との接着を不要にしたい場合、及び／又は前記閉塞部材と前記容器との間に作用する機械的結合力を強化する必要がある場合において設けられる。
【００３７】
図２に示すように、閉塞部材１１には内縁部４０が一体的に形成される。該内縁部４０は、閉塞部材１１が容器１０に取り付けられて前記閉塞部材受部の方向に荷重が掛かるときに、前記容器の周縁部１６内に位置決めされ、該容器の閉塞部材受部２４で支持されるようなサイズに形成して配設される。内縁部４０と該内縁部４０の外側にある第１の囲繞部２６とは、周縁部１６を位置決めする通路４１を形成し、該通路４１は、その一部が図示しないガスケット型の弾性シーリング材で充填される。
【００３８】
内縁部４０は、放射状に延在する板部４３により、前記閉塞部材の凹部１４における周壁面４２に結合される。
【００３９】
図４は、図２に示す構造の変形例を示し、内縁部４０は、前記閉塞部材の中央部２５と前記容器の閉塞部材受部２４との間で、斜方向に延在して形成されている。この場合、第２の内縁部４４は、通路４１の内側端部を画成し、前記容器の周壁面１５の内表面を封止するように設けられる。一方、図４で図示しない板部４３は、壁面部４２と内縁部４０及び／又は第２の内縁部４４とを結合することが可能である。
【００４０】
図５及び図６を参照しながら、前述した構成要素と同様の構成要素に同一の参照符号を付けた本発明に係る容器の閉塞構造の第２の実施形態について説明する。
【００４１】
本実施形態において、囲繞部構造体４８は、第１の囲繞部２６と第２の囲繞部２９とを有し、必要に応じて第３の囲繞部３１も有する。第２の囲繞部２９又はより好ましくは第３の囲繞部３１のいずれか一方は、下側に突出する周縁部５０を有する。さらに、段部２２が上向き面の円環状の溝部５２を画成するように形成され、周縁部５０は、留め金、しまり嵌め又はくさび嵌めのような、押し込んで嵌合させる構造により該溝部５２内に収容される。
【００４２】
特に、図６の横断面図に示すように、前記突出した周縁部５０は、拡張された先端部５４と、該先端部と第３の囲繞部３１とを係合する相対的に狭い頚状部５６とを有する。また、図６の横断面図より、前記円環状の溝部５２は、相対的に広い下方領域５８と、内方に突出する円環状の受部６０により生じる相対的に狭いフランジの開口部とを有する。前記囲繞部構造体では、図示のように、先端部５４と頚状部５６とが溝部５２内にぴったりと配置されている。前記溝部の内外に周縁部５０が着脱自在となるように、先端部５４及び／又は頚状部６０が十分に変形することが可能であれば、溝部５２内に対する周縁部５０の挿入が可能となる。この挿入を補助するために、面取りされた斜面６２を前記周縁部の下方領域に画成し、周縁部を挿入する間、受部６０が前記周縁部の下方領域に沿って拡開していればよい。周縁部５０及び受部６０のいずれか一方又は両方の変形は、典型的なスナップフィット（ｓｎａｐ−ｆｉｔ）を提供する。しかしながら、他の適切な嵌合構造として、しまり嵌め及びくさび嵌合を含むものも採用可能である。
【００４３】
第２実施形態において、前記第２及び第３の囲繞部は、単に第２の囲繞部に置き換えることができる。例えば、囲繞部構造体４８は、単に、第１の囲繞部２６と、該第１の囲繞部２６に折損可能に結合する囲繞部３１（図６参照）とを有する。しかしながら、第２の囲繞部２６は容易に除去可能である切裂片を形成するので、囲繞部構造体４８は３つの囲繞部から構成されることがより好ましい。
【００４４】
溝部５２内に周縁部５０を配設する前後に、第３の囲繞部３１とフランジ１９との間を、例えば、前記周縁部の外壁面と前記溝部の内壁面との間を接合してもよい。シーリング材、仮付溶接、加熱溶接、超音波溶接等も上記した説明において採用可能である。
【００４５】
本発明においては、複数の好適な実施形態を参照しながら説明したが、その他、多くの実施形態でも実施可能であることが理解されるであろう。
【図面の簡単な説明】
【図１】
図１は、本発明の第１の容器の閉塞構造を示す組立斜視図である。
【図２】
図２は、図１を２−２の断面方向に見た閉塞構造を示す部分断面図である。
【図３】
図３は、図２に示される前記閉塞構造の一部改変を示す図である。
【図４】
図４は、図２に示される前記閉塞構造に別の改変を施した該構造の他の部分を示す図である。
【図５】
図５は、図２と同様に第２の容器の閉塞構造を示す組立断面図である。
【図６】
図６は、図５に示される閉塞構造の一部又は該構造の改変を示す図である。
【国際公開パンフレット】
2004509817.tif 000003
2004509817.tif 000004
2004509817.tif 000005
2004509817.tif 000006
2004509817.tif 000007
2004509817.tif 000008
2004509817.tif 000009
2004509817.tif 000010
2004509817.tif 000011
2004509817.tif 000012
2004509817.tif 000013
2004509817.tif 000014
2004509817.tif 000015
2004509817.tif 000016
2004509817.tif 000017
2004509817.tif 000018
2004509817.tif 000019
2004509817.tif 000020
2004509817.tif 000021
2004509817.tif 000022
2004509817.tif 000023
2004509817.tif 000024
【国際調査報告】
2004509817.tif 000025
2004509817.tif 000026
2004509817.tif 000027